(57)【要約】【課題】  優れた横漏れ防止性能が得られ、また、着用時における股下部の吸収性本体の幅を狭めてフィット性の向上を図ることができる使い捨ておむつを提供すること。【解決手段】  表面シート２及び吸収性コア４を有する吸収性本体５と外装体１０とを具備し、股下部Ｃ、腹側部Ａ及び背側部Ｂを有する使い捨ておむつ１であり、吸収性コア４は、腹側部Ａ側に偏倚した部位に、吸収性コア４の両側縁部それぞれからおむつ幅方向内方に向かって延びる切欠部４４を有しており、股下部Ｃには、吸収性本体５の両側縁部を覆うように配された防漏カフ形成用シート６０及び該シートに固定された弾性部材６１ａ〜６１ｃにより、吸収性本体５の両側部それぞれに防漏カフ６が形成され、吸収性本体５は、その両側縁部よりも幅方向内側にシート６０との固定部６７を有し、且つ固定部６７よりも幅方向外側に、吸収性本体５の側部立ち上げ用の弾性部材６６が伸張状態で配されている。【選択図】    図４
2005312557.tif 000002
【特許請求の範囲】
【請求項１】
液透過性の表面シート及び液保持性の吸収性コアを有する吸収性本体と、該吸収性本体の非肌当接面側に位置する外装体とを具備し、股下部並びにその前後に延在する腹側部及び背側部を有する使い捨ておむつにおいて、
前記吸収性コアは、前記吸収性本体の両側部における、おむつ前後方向中央位置より前記腹側部側に偏倚した部位に、該吸収性コアの両側縁部それぞれからおむつ幅方向内方に向かって延びる切欠部を有しており、
前記吸収性本体の両側縁部を覆うように配された防漏カフ形成用シート及び該防漏カフ形成用シートに伸張状態で固定された弾性部材により、前記吸収性本体の両側部それぞれに、前記股下部において起立する防漏カフが形成されており、
前記股下部における前記吸収性本体は、該吸収性本体の両側縁部よりもおむつ幅方向内側に前記防漏カフ形成用シートとの固定部を有し、且つ該固定部よりもおむつ幅方向外側に、該吸収性本体の側部立ち上げ用の弾性部材が伸張状態で配されている使い捨ておむつ。
【請求項２】
前記切欠部は、前記吸収性コアの両側縁部からおむつ幅方向内方に向かうに従って、おむつ前後方向中央位置に近づくように形成されている請求項１記載の使い捨ておむつ。
【請求項３】
前記切欠部は、前記吸収性コアの両側縁部からおむつ幅方向内方に向かうに従ってその幅が狭くなる楔状部分を有する請求項１又は２記載の使い捨ておむつ。
【請求項４】
前記吸収性コアは、前記吸収性本体の両側部における、おむつ前後方向中央位置より前記背側部側に偏倚した部位に第２切欠部を有しており、第２切欠部は、前記吸収性コアの両側縁部からおむつ幅方向内方に向かうに従って、おむつ前後方向中央位置に近づくように形成されている請求項１〜３の何れか記載の使い捨ておむつ。
【請求項５】
前記吸収性コアの左右同じ側に設けられた前記切欠部と前記第２切欠部とが、該吸収性コアの両側縁部から離間した部位において、該吸収性コアの長手方向に延びる欠落部を介して連続している請求項４に記載の使い捨ておむつ。
【請求項６】
前記吸収性コアは、前記吸収性本体の両側部における、おむつ前後方向中央位置又はその近傍に、おむつ幅方向に向かって延びる楔状の中央切欠部を有する請求項１〜５の何れか記載の使い捨ておむつ。
【請求項７】
前記吸収性コアは、それぞれ吸水性ポリマーーと繊維からなる混合積繊層である、下部吸収層と上部吸収層の少なくとも２層からなり、前記上部繊維層の少なくとも一部が、前記下部吸収層の前記表面シート側に積層されている請求項１〜６の何れか記載の使い捨ておむつ。
【請求項８】
前記下部吸収層の坪量よりも前記上部吸収層の坪量が高い請求項１〜７の何れか記載の使い捨ておむつ。
【請求項９】
前記防漏カフ形成用シートは、前記腹側部及び前記背側部それぞれにおいて、前記吸収性本体の肌当接面側の面上に固定されている請求項１〜８の何れか記載の使い捨ておむつ。
【請求項１０】
前記吸収性コアは、前記股下部における最大幅が５０〜１４０ｍｍである請求項１〜９の何れか記載の使い捨ておむつ。
【発明の詳細な説明】
【技術分野】
【０００１】
本発明は、防漏性能に優れた使い捨ておむつに関する。
【背景技術】
【０００２】
特開平１１−１０４１７０号公報（特許文献１）には、三日月型の大きな防漏カフを取付けることで、体液漏れを防止する使い捨ておむつが記載されている。また、特開平３−１２３５５３号公報（特許文献２）には、中央部に平坦に位置する第１の吸収体の両側に起立する第２の吸収体を配置した使い捨ておむつが記載されている。
【０００３】
【特許文献１】特開平１１−１０４１７０号公報。
【特許文献２】特開平３−１２３５５３号公報。
【発明の開示】
【発明が解決しようとする課題】
【０００４】
特許文献１記載のおむつは、防漏カフを高くすることで、股下部の着用者とおむつとの隙間をなくすことが、ある程度可能であるが、防漏カフが高いために、装着時に防漏カフが体へ押し当てられ潰されたり、倒れたりすることがある。それにより、着用者に、装着時の違和感を与えてしまう。また、防漏カフは幅方向に倒して固定するので、防漏カフの長手方向の両端部では液吸収ゾーンを防漏カフが覆うことになる。この防漏カフの高くすることで、親水幅を確保することが困難となる。結局、お腹漏れ、横漏れ防止性能を充分に向上させることが難しい。特に、吸収体幅を狭くするおむつ製品では、性能向上が困難となる。
【０００５】
特許文献２記載のおむつは、防漏カフとして、第２吸収体を配置することで、排泄物が漏れ防止手段を超えて、外部へ漏れ出すのを防止しようとするものである。これは第１の吸収体で吸収中に流れ出そうとする排泄物が、第２吸収体でせき止めようとするが、多量の尿が短時間にまとまって高速で排泄されたり、吸収されにくい水状便や軟便等が排泄された場合には、それらが、第２の吸収体を越えて漏れ出す恐れがある。即ち、第２吸収体を超えた排泄物は、サイドフラップに流出し、このサイドフラップ部に流出した排泄物は、そこに溜まっていられず、漏れに至ってしまう。
【０００６】
本発明の目的は、優れた横漏れ防止性能が得られ、また、着用時における股下部の吸収性本体の幅を狭めてフィット性の向上を図ることができる使い捨ておむつを提供することにある。
【課題を解決するための手段】
【０００７】
本発明は、液透過性の表面シート及び液保持性の吸収性コアを有する吸収性本体と、該吸収性本体の非肌当接面側に位置する外装体とを具備し、股下部並びにその前後に延在する腹側部（はらがわぶ）及び背側部（せがわぶ）を有する使い捨ておむつにおいて、前記吸収性コアは、前記吸収性本体の両側部における、おむつ前後方向中央位置より前記腹側部側に偏倚した部位に、該吸収性コアの両側縁部それぞれからおむつ幅方向内方に向かって延びる切欠部を有しており、前記吸収性本体の両側縁部を覆うように配された防漏カフ形成用シート及び該防漏カフ形成用シートに伸張状態で固定された弾性部材により、前記吸収性本体の両側部それぞれに、前記股下部において起立する防漏カフが形成されており、前記股下部における前記吸収性本体は、該吸収性本体の両側縁部よりもおむつ幅方向内側に前記防漏カフ形成用シートとの固定部を有し、且つ該固定部よりもおむつ幅方向外側に、該吸収性本体の側部立ち上げ用の弾性部材が伸張状態で配されている使い捨ておむつを提供することにより前記目的を達成したものである。
【発明の効果】
【０００８】
本発明の使い捨ておむつによれば、優れた横漏れ防止性能が得られ、また、着用時における股下部の吸収性本体の幅を狭めてフィット性の向上を図ることができる。
【発明を実施するための最良の形態】
【０００９】
以下本発明を、その好ましい実施形態に基づき図面を参照しながら説明する。
本発明の一実施形態としての使い捨ておむつ１は、図１に示すように、パンツ型のおむつである。おむつ１は、図２〜図６に示すように、液透過性の表面シート２、液不透過性の裏面シート３及び両シート２，３間に介在された液保持性の吸収性コア４を有する吸収性本体５と、該吸収性本体５の外側（非肌当接面側）に位置して該吸収性本体５を接合固定している外装体１０とを具備する。おむつ１は、着用者の股間部に配される股下部Ｃと、その前後に延在する腹側部Ａ及び背側部Ｂを有している。腹側部Ａは着用時に着用者の腹側に配され、背側部Ｂは着用時に着用者の背側に配される。
【００１０】
外装体１０は、図１に示すように、腹側部Ａに位置する部分の両側縁部と背側部Ｂに位置する部分の両側縁部とが、ヒートシール、高周波シール、超音波シール等の公知の接合手段により互いに接合されて一対のサイドシール部が形成されている。また、その接合によって、おむつ１に、ウエスト開口部７及び一対のレッグ開口部８，８が形成されている。
腹側部Ａ、背側部Ｂ及び股下部Ｃは、展開且つ伸張状態（図２に示す状態）におけるおむつを、その長手方向の全長を３等分するように３領域に区分したときの各領域である。
【００１１】
図２に示すように、吸収性本体５は縦長矩形状をなし、その長手方向を、おむつ前後方向（図２の上下方向，以下、おむつ長手方向ともいう）に一致させ、腹側部Ａから背側部Ｂに亘るように、ホットメルト型接着剤等の公知の接合手段により外装体１０の幅方向（おむつ長手方向に対して直交する方向、以下、おむつ幅方向ともいう。）中央部に接合されている。吸収体コア４は、表面シート２及び裏面シート３間に挟持固定されている。
【００１２】
外装体１０は、図３に示すように、２枚のシート１１，１２と、これら２枚のシート間に固定された各部の弾性部材とからなる。おむつ１においては、図２に示すように、２枚のシート１１，１２間に、ウエスト開口部７の周縁部にウエストギャザーを形成するウエスト部弾性部材７１，レッグ開口部８の周縁部にレッグギャザーを形成するレッグ部弾性部材８１，及びウエスト開口部７の周縁端から下方に２０ｍｍ離間した位置からレッグ開口部８の上端までの領域である胴回り部Ｄに左右に分割された状態の胴回りギャザーを形成する胴回り弾性部材９１がそれぞれ伸張状態で固定されている。
各弾性部材７１、８１、９１はホットメルト型接着剤等の接合手段により接合されている。
【００１３】
本実施形態の外装体１０を構成するシート１１及びシート１２は、何れも通気性の不織布から構成されている。シート１１は、おむつ前後方向において、シート１２の前後端縁から延出した延出部を有し、それらの延出部はそれぞれ、外装体１０のシート１２上に吸収性本体５が配置された後、該吸収性本体５の前後端を覆うように該吸収性本体５側に折り返されて接着されている（図２参照）。
【００１４】
おむつ１における吸収性コア４は、図２〜図６に示すように、４つの分割片、即ち腹側片４１Ａ，背側片４１Ｂ及び左右一対の側部片４１Ｓ，４１Ｓからなる下部吸収層４１と、腹側片４１Ａと背側片４１Ｂとの間に亘って設けられ、腹側片４１Ａ及び背側片４１Ｂそれぞれに積層された部分を有する上部吸収層４２とからなる。
【００１５】
吸収性コア４は、全体として、おむつ前後方向に縦長の矩形状の平面視形状を有している。また、吸収性コア４は、その全体が、ティッシュペーパや透水性の不織布からなる透水性の被覆シート（図示略）で被覆された状態で、表面シート２と裏面シート３との間に固定されている。
【００１６】
吸収性コア４は、図２に示すように、吸収性本体５の両側部５１，５１における、おむつ前後方向中央位置より腹側部Ａ側に偏倚した部位に、該吸収性コア４の両側縁部４３それぞれからおむつ幅方向内方に向かって延びる切欠部４４，４４を有している。
おむつ前後方向中央位置とは、展開且つ伸張状態（図２に示す状態）における使い捨ておむつの全長を２等分する位置（図２に示す例では、III−III線と重なる位置）である。また、吸収性コア４の側縁部４３とは、吸収性コアが複数の片からなる場合、個々の分割片の側縁部ではなく、それらの集合体としての吸収性コアを見たときの長手方向の側縁部である。本実施形態における吸収性コア４の側縁部４３は、腹側片４１Ａ，背側片４１Ｂ及び左右片４１Ｓ，４１Ｓのそれぞれにおける、吸収性本体５の側縁部５ｃの近傍において該側縁部５ｃに沿って延びる縁部と、それらの縁部のうちのおむつ左右の同じ側の縁部同士をおむつ長手方向に繋ぐ仮想部分とからなる。
【００１７】
切欠部４４の形成位置は、おむつ前後方向中央位置から、おむつ全長の５〜４５％、特に１０〜３５％、腹側部Ａ側に離間した位置であることが好ましい。
ここでいう切欠部４４の形成位置とは、図７に示すように、吸収性コア４の各側縁部４３において、切欠部４４を挟んでその両側に位置する部分４４ｂ，４４ｃの内の、おむつ前後方向中央位置に近い方４４ｂの位置である。
【００１８】
切欠部４４、４４は、図２に示すように、吸収性コア４の両側縁部４３からおむつ幅方向内方に向かうに従って、おむつ前後方向中央位置に近づくように形成されている。斯かる構成により、切欠部４４が吸収性コア４の幅方向の折れ曲がり部として機能し易くなり、吸収性コアの側部４Ｓ、引いては吸収性本体５の側部が着用時に一層立ち上がり易くなると共に、装着者のそ径部(足の付け根部)に沿って起立することで、違和感のない装着感を与えることができ、防漏させることができるので好ましい。
吸収性コア４の側縁部４３における切欠部中心軸線は、おむつ前後方向に延びるおむつ長手方向中央線（切欠部が延びる方向の各部における該切欠部の幅を２等分する点の集合からなる線）に対して２０〜８０°程度傾斜していることが好ましい。
【００１９】
また、切欠部４４は、吸収性コア４の両側縁部４３からおむつ幅方向内方に向かうに従って、切欠部４４が延びる方向に直交する方向の幅が狭くなる部分（楔状部分）４４ａを有している。楔状の切欠部又は楔状部分を有する切欠部４４は、吸収性本体５の側部が立ち上がる際に、吸収性コアのはみ出し部分等を生じにくく、また、隙間のない防漏壁を形成し易いので好ましい。
【００２０】
本実施形態における吸収性コア４は、吸収性本体５の両側部５１，５１における、おむつ前後方向中央位置より背側部Ｂ側に偏倚した部位にも、切欠部４４，４４と同様の切欠部である第２切欠部４５，４５を有している。但し、第２切欠部４５は、吸収性コア４の両側縁部４３からおむつ幅方向内方に向かうに従って、おむつ前後方向中央位置に近づくように形成されている。第２切欠部の存在によって、吸収性コアは、図８（ｂ）に示すような舟形の形状を一層取りやすくなる。
【００２１】
第２切欠部４５の形成位置は、おむつ前後方向中央位置から、おむつ全長の５〜４５％、特に１０〜４０％、背側部Ｂ側に離間した位置であることが好ましい。
ここでいう第２切欠部４５の形成位置とは、図７に示すように、吸収性コア４の各側縁部４３において、第２切欠部４５を挟んでその両側に位置する部分４５ｂ，４５ｃの内の、おむつ前後方向中央位置に近い方４５ｂの位置である。
また、吸収性コア４の側縁部４３における切欠部中心軸線（切欠部が延びる方向の各部における該切欠部の幅を２等分する点の集合からなる線）は、おむつ前後方向に延びるおむつ長手方向中央線に対して２０〜８０°程度傾斜していることが好ましい。
おむつ前後方向に、おむつ前後方向中央位置から離れるほど、傾斜角度は大きくなる方が好ましい。
【００２２】
本実施形態における切欠部４４と第２切欠部４５とは、図２に示すように、吸収性コア４の左右同じ側に設けられた切欠部同士が、該吸収性コア４の長手方向両側縁部４３から離間（該吸収性コアの幅方向に離間）した部位において、股下部Ｃ付近で吸収性コア４の長手方向に延びる欠落部４６を介して連続している。
【００２３】
また、本実施形態における吸収性コア４は、吸収性本体５の両側部５１，５１における、おむつ前後方向中央位置又はその近傍に、おむつ幅方向に向かって延びる楔状の中央切欠部４７，４７を有している。中央切欠部４７を設けることで、吸収性本体の両側部が立ち上がり易くなると共に立ち上がる際に吸収性コアの一部の重なりや突き出し等による不都合（吸収性コアが余ることで股下部のポケット構造がきれいに形成されなかったり、装着者に股下部の違和感を与えてしまう等）を防止することができる。
【００２４】
本実施形態においては、上述したように、吸収性コア４が、４つの分割片からなる下部吸収層４１と上部吸収層４２とからなっており、股下部Ｃにおいては、図４に示すように、上部吸収層４２の幅が下部吸収層の幅（腹側片４１Ａと、左右の側部片４１Ｓ，４１Ｓの合計幅）よりも狭くなっている。斯かる構成により  股下部でのポケット構造が形成しやすくなると共に、股下部での特に装着者の動きによって、左右からの圧迫を受ける部分での吸収体のパッドスタビリティ(ヨレ防止効果など)が安定する。また、特に吸収量が必要とされる部分であることから、２層構成にすることで吸収容量も高めることができる。
【００２５】
また、前側（腹側）に偏在した上部吸収層を下部吸収層に重ねる構成で、単位面積あたりの重量、即ち坪量を偏在させる。斯かる構成により、吸収性コアの吸収容量を前側に偏在させることができることが好ましい。このような構成であれば、例えば、幼児用おむつでは、うつ伏せ状態の幼児が使用する際でも、前（腹側）からの漏れを防止させることが可能である。
下部吸収層と上層吸収部の坪量（２種以上の材料からなる場合は各材料の坪量の合計）の比（上層／下層）は１〜５、特に１．５〜３．５であることが好ましい。
【００２６】
尚、本実施形態における吸収性コア４の表面シート２は、吸収性コア４の両側縁部よりも延出する部分が、吸収性コア４の非肌当接面に巻き下げられており、吸収性コアの非肌当接面側において、裏面シート３に図示しない接着剤等により固定されている。
【００２７】
吸収性本体５の長手方向における該吸収性本体５の両側部それぞれには、おむつ長手方向へ延びる防漏カフ６が設けられている。
防漏カフ６は、図３〜図６に示すように、吸収性本体５の両側縁部５ｃを覆うように配された防漏カフ形成用シート６０、及び該防漏カフ形成用シート６０に伸張状態で固定された弾性部材６１ａ〜６１ｃによって形成されている。
【００２８】
ここで、吸収性本体５の両側縁部を覆うようにとは、股下部に起立性を有する防漏カフを形成でき、該防漏カフの存在によって、吸収性本体の側縁部が装着者の肌に直接接触しにくくなっていれば充分である。
【００２９】
本実施形態のおむつ１は、その展開且つ伸張状態（図２参照）において、少なくとも腹側部Ａ及び背側部Ｂ（好ましくは更に股下部Ｃ）における防漏カフ形成用シート６０が、おむつの吸収性本体５の肌当接面側５ａから非肌当接面側５ｂに亘るように配されている。肌当接面側５ａとは、吸収性本体５の両面のうち、着用時に着用者の肌側に向けられる面側であり、吸収性本体５の非肌当接面側５ｂとは、吸収性本体５の両面のうち、着用時に着用者の肌側とは反対側に向けられる面側である。
【００３０】
防漏カフ６は、図４，５に示すように、少なくとも股下部Ｃにおいて起立可能である。防漏カフ６の自由端６２には、その自由端に沿って、第１の弾性部材６１ａが配されている。
防漏カフ６は、図３，図６に示すように、腹側部Ａ及び背側部Ｂそれぞれにおける固定点６３と自由端６２との間で、おむつ長手方向に延びる２カ所の折り曲げ部６４，６５で折り曲げられて三つ折り状態に折り畳まれている。
【００３１】
防漏カフ形成用シート６０は、腹側部Ａ及び背側部Ｂそれぞれにおいて（より具体的には、吸収性本体５の長手方向の両端部それぞれにおいて）、吸収性コア５の長手方向両側部（幅方向両端部）における肌当接面側（表面シート側）の面上に固定されていることが好ましい。このような構成により、防漏カフが吸収性本体の両側部を包み易くなり、防漏性が向上する。
【００３２】
また、防漏カフ形成用シート６０は、腹側部Ａ及び背側部Ｂそれぞれにおいて、２ヶ所の折り曲げ６４、６５で折り曲げられて三つ折り状態で、吸収性本体５の肌当接面側の面上に固定されている。具体的には、防漏カフ形成用シート６０は、図３及び図６に示すように、ヒートシール、高周波シール、超音波シール等の公知の接合手段により、吸収性本体５の各側縁部５ｃから所定距離離間した固定点６３において、吸収性本体５の肌当接面側５ａの面を形成する表面シート２上に固定されている。
さらに、防漏カフ６は起立性に優れ、着用時に着用者のそ径部に隙間なくフィットし、防漏カフ本来の漏れ防止性能を発揮できる点で好ましい。
【００３３】
そして、腹側部Ａ及び背側部Ｂにおける防漏カフ６を、防漏カフ形成用シート６０に沿って、固定点６３から自由端６２までを見たときに、最も固定端側に位置する折り曲げ部６４を１つ目として順に数えて２つ目の折り曲げ部６５に、第２の弾性部材６１ｂが配されている。また、第１の弾性部材６１ａと第２の弾性部材６１ｂとの間に、第３の弾性部材６１ｃが配されている。
第１、第２及び第３の弾性部材６１ａ〜６１ｃは、それぞれ、上述した防漏カフ形成用の弾性部材６１ａ〜６１ｃの一つであり、それぞれ、自由端６２と平行に且つ腹側部Ａと背側部Ｂとの間に亘るように配されている。また、これらの弾性部材６１ａ〜６１ｃは、腹側部Ａと背側部Ｂにおいて防漏カフ形成用シートと共に吸収性本体５の肌当接面側５ａの面上の一部に固定されている。腹側部Ａと背側部Ｂとの間に亘るとは、腹側部Ａの端部から背側部Ｂの端部まで存在する場合のみならず、腹側部Ａ内に一端部、背側部Ｂ内に他端部が存在する場合も含む。
【００３４】
防漏カフに配された複数本の弾性部材６１ａ〜６１ｃは、吸収性本体５の長手方向の両端部それぞれにおいて、該吸収性本体５の幅方向に並べた状態で固定されており、それにより、起立した防漏カフの先端部分が着用者の肌に面接触する。面接触させることにより、体への密着性を向上させて防漏性を向上させることができると共に肌にやさしく接触させることができる。
【００３５】
尚、本実施形態においては、防漏カフ形成用シート６０として、所定幅の帯状の撥水性シート一枚を、その長手方向に沿う折り曲げ線で二つ折りして、相対向する層間をホットメルト型接着剤又は部分的な熱又は超音波シール等で接合した２層構造のシートを用いている。弾性部材６１ａ〜６１ｃは、この２層構造シートの層間に伸張状態で固定されている。
【００３６】
股下部Ｃにおける吸収性本体５は、図４及び図５に示すように、該吸収性本体５幅方向の両側縁部５ｃよりもおむつ幅方向に対して内側の部位に、防漏カフ形成用シート６０との固定部６７を有する。固定部６７は、ヒートシール、高周波シール、超音波シール、ホットメルト型の接着剤等の公知の接合手段により、防漏カフ形成用シート６０と巻き下げられた表面シート２の延出部とを接合して形成されている。
固定部６７は、吸収性本体５の両側縁部５ｃから５〜５０ｍｍ、特に１０〜３０ｍｍ程度、おむつ幅方向内側に入り込んだ部位に存在することが好ましい（おむつ展開且つ伸張状態にて測定）。
【００３７】
そして、吸収性本体５における、固定部６７よりもおむつ幅方向外側の部位に、該吸収性本体の側部立ち上げ用の弾性部材６６が伸張状態で配されている。
弾性部材６６は、吸収性本体５の両側縁部に、各側縁部に沿って且つ腹側部Ａと背側部Ｂとの間に亘るように配されている。本実施形態における弾性部材６６は、吸収性本体５の両側縁部に配されているが、固定部６７よりも外側であれば、配設部位は特に制限されず、吸収性コア４とその肌当接面側に位置する表面シート２との間、吸収性コア４と裏面シート３との間、吸収性コア４の被覆シート（図示略）内部等に配することもできる。但し、吸収性本体５の両側縁部又はその近傍に配することが好ましい。
【００３８】
尚、上述した吸収性コア４においては、左右同じ側の側部に設けられた切欠部４４と第２切欠部４５とが細幅の欠落部４６を介して連続していたが、切欠部４４及び第２切欠部４５は、図７及び図８に示す吸収性コア４’のように、各々独立に形成されたものであっても良い。
【００３９】
本実施形態のおむつ１（吸収性コア４に代えて吸収性コア４’を採用した形態も同様）によれば、切欠部４４の存在及び弾性部材６６の存在により、吸収性コア４の側部及び切欠部４４よりも前方（腹がわ）に位置する部分が、図８（ｂ）に示すように、立ち上がり、吸収性コアが舟形の形状を取る。特に中央切欠部４７を有することにより、一層そのような形状を取りやすい。
そのため、股下部Ｃに、前後左右に立ち上がり部を有する凹状のポケットが形成されやすく、そのポケット内からの排泄物の漏れだしが生じにくい。また、多量の尿が短時間にまとまって排泄されたり、吸収されにくい水状便や軟便等が排泄された場合等に、その凹状のポケットから排泄物が漏れだし難い。
凹状のポケットから漏れ出した場合であっても、吸収性本体５の側縁部を覆う防漏カフ６が存在するため、おむつからの漏れだしが阻止される。即ち、排泄物が、股下部において起立した吸収性本体の側縁部を超えてしまった場合でも、この防漏カフがその外側に位置して、それ以上の排泄物の漏れを防止することができるので漏れ性能に優れている。
また、防漏カフ６によって、吸収性本体の側縁部が着用時に装着者の肌に直接接触しにくくなっているため、装着時の違和感を防止することもできる。
【００４０】
上述した実施形態のおむつ１においては、吸収性本体５の立ち上がった側部における、吸収性コア４の非肌当接面側には裏面シート３が配されているが、裏面シート３の幅を狭くしたり、裏面シートを吸収性本体５にではなく、外装体１０を構成する２枚のシート１１，１２間に配すること等により、吸収性本体５の立ち上がった側部の裏面側からも排泄物を吸収可能とすることもできる。
【００４１】
また、本実施形態のおむつ１（吸収性コア４に代えて吸収性コア４’を採用した形態も同様）によれば、横漏れ防止性能を飛躍的に向上させることができるため、防漏性能を向上させ、或いは低下を抑制しつつ、吸収性本体の幅や股下部の幅を狭くしてフィット性の向上を図ることができる。このような効果は、股下部Ｃにおける防漏カフ６が、着用者の肌に向かって大きく起立し、充分な高さを確保することができると共に、潰れても実質的な液吸収面を狭くしにくいことと相俟って一層確実に奏される。但し、股間部の幅が狭いことは本発明の必須要件ではない。
【００４２】
股下部の幅を狭くした使い捨ておむつとしては、例えば、以下に示す条件を満たす使い捨ておむつを特に好ましい例として例示できる。
吸収性コア４の幅；背側部Ｂ及び腹側部Ａそれぞれにおける最大幅が６０〜１４０ｍｍ、特に８０〜１２０ｍｍ、股下部Ｃにおける最大幅が５０〜１４０ｍｍ、特に７０〜１２０ｍｍ。
【００４３】
本実施形態のおむつ１における吸収性本体５は、その両側縁部それぞれから所定幅、おむつ幅方向内側に入り込んだ部位に外装体１０との接合部９を有している。
【００４４】
また、本実施形態のおむつ１においては、下部吸収層４１と上部吸収層４２とは、吸収性コア４の上下両面を被覆する被覆シート（図示略）に固定されて一体化されており、また、下部吸収層４１を構成する複数の分割片同士も、該被覆シートを介して一体化されている。これにより、弾性部材６６によって、吸収性コアの長手方向の側部に全体としての起立性向が付与される。
また、欠落部４６においては、吸収性コア４の上下両面を被覆する被覆シート同士が直接接合されており、そのため、吸収性コアの幅方向中央に位置する上部吸収層４２と、その左右両側に位置する分割片４１Ｓ，４１Ｓとの間の距離が安定に維持される。これにより、吸収性本体５が、欠落部４６をヒンジ部としてより屈曲し易くなっており、上述した凹状のポケットが一層形成され易くなっている。更に、図５に示すように、吸収性本体５の外装体１０に対する固定部６７が、吸収性本体５の幅方向における、欠落部４６を有する部位の近傍に形成されているため、吸収性本体５の側部が一層立ち上がり易くなっており、上述した凹状のポケットがより一層形成され易くなっている。
【００４５】
本発明においては、吸収性コア４が、それぞれ吸水性ポリマーと繊維とからなる混合積繊層である、下部吸収層４１と上部吸収層４２の少なくとも２層から構成されており、上部吸収層４２の少なくとも一部が、使用時に装着者側の表面シート２側に積層されていることが、凹凸のある体への密着性（フィット性）を向上させる点から好ましい。
【００４６】
吸収性コア４は、パルプ繊維等の繊維の集合体及び吸水性ポリマーからなるものや、繊維集合体の繊維間隙に吸水性ポリマーが分散されたもの等から形成されていることが好ましい。吸収性や吸収性コア内での液拡散性等の観点から、吸収性コアを構成する材料や製造方法を選定することがより好ましい。
また、吸収性コア４を、吸水性ポリマーと繊維とからなる混合積繊層が少なくとも２枚重ねられた構成とすることで、吸収性能の偏在化が容易になる。これら繊維とポリマーの混合層は、繊維とポリマーとがほぼ均一分散された混合積繊層となることから、単位重量当たりの吸収容量が均一にさせることができ、その吸収性コアの形状と坪量(単位面積あたりの吸収素材の重量)をコントロールし、２枚の層を重ね合わせることで、精度良く、偏在化させることが可能となる。例えば前側偏在を構成する際にはパルプ若しくはポリマー、又はパルプとポリマーとの合計量がリッチな小さい面積の混合積繊層を吸収性コアの前側に配置することで達成できる。
【００４７】
吸水性ポリマーとしては、各種公知のものを特に制限なく用いることができ、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸収性コアを構成する繊維としては、従来吸収性コアの構成材料として、公知のものを特に制限なく用いることができ、例えば、パルプ繊維、レーヨン繊維、コットン繊維、酢酸セルロース等の親水性繊維、ポリエチレン、ポリプロピレン等のポリオレフィン系繊維、ポリエステル、ポリアミド等の縮合系繊維等を用いることできる。吸水性ポリマー及び繊維は、それぞれ一種又は二種以上を組み合わせて用いることができる。吸水性ポリマー及び繊維の吸収性コア中の合計含有量は７０〜１００％、特に８０〜１００％であることが好ましい。
【００４８】
本実施形態のおむつの各部を構成する材料としては当該技術分野において通常用いられているものを特に制限なく用いることができる。
例えば表面シート２としては、親水性且つ液透過性の不織布や、開孔フィルムを用いることができる。裏面シート３としては、樹脂フィルムや、樹脂フィルムと不織布等とのラミネート材等を用いることができる。
吸収性コア４を構成する上部吸収層及び下部吸収層それぞれとしては、フラッフパルプの積繊物、フラッフパルプと高吸収性ポリマーの粒子との混合積繊物等を用いることができる。多層構造の吸収性コア４に代えて単層の吸収性コアを用いる場合も同様の積繊物等を用いることができる。
【００４９】
防漏カフ形成用のシート６０としては、スパンボンド・メルトブローン・スパンボンド等からなる多層構成の複合不織布、スパンボンド不織布、ヒートボンド不織布、エアスルー不織布等を用いることができ、柔軟性、耐水性などの点からスパンボンド、メルトブローンとからなる多層構造の不織布、坪量が１２ｇ／ｍ2程度の不織布が好ましい。
【００５０】
防漏カフ形成用シートは、ＪＩＳ  Ｌ１０９２（１９９８年度）繊維製品の防水性試験方法における、耐水度試験（低水圧法）に準じて測定した耐水圧が３ｃｍ以上であることが好ましく、より好ましくは５ｃｍ以上である。耐水圧の測定の際には、水を入れた水準装置を１０±０．５ｃｍ／ｍｉｎの速度で上昇させ、試験片の裏側に３カ所から水がでたことを目視にて観察し、その時点の水位を測定する。尚、試験片の取り付けが完了したら遅滞なく測定する。
【００５１】
防漏カフ形成用の弾性部材６１ａ〜６１ｃの形態としては、糸状のもの（糸ゴム等）、所定幅の帯状のもの（平ゴム等）等が好ましく、特に糸状のものが好ましい。弾性部材の素材としては、天然ゴム、スチレン−ブタジエン、ブタジエン、イソプレン、ネオプレン等の合成ゴム、ＥＶＡ、伸縮性ポリオレフィン、ウレタン等を挙げることができる。
弾性部材６６，７１，８１，９１の形態としては、糸状のもの及び所定幅の帯状のもの、更には薄膜状のもの等を用いることもできる。それらの素材としては、弾性部材６１ａ〜６１ｃの素材として記載のものを用いることができる。
【００５２】
以上、本発明の好ましい一実施形態について説明したが、本発明は、上述した実施形態に制限されず、本発明の趣旨を逸脱しない範囲で種々変更が可能である。
【００５３】
例えば、上述したおむつ１において、第２切欠部４４や、切欠部４４と第２切欠部４５とを連絡する欠落部４６は省略することもできる。また、欠落部４６に代えて、厚み削減部（吸収性コアの構成材料の積層される坪量の削減等により、吸収性コアの厚みが削減された部分）や、エンボス処理部（エンボス処理されることで、その部分が屈曲しやすくなるようにした部分）を設けることもできる。
【００５４】
また、上述したおむつ１においては、防漏カフ形成用シートが、腹側部Ａ及び背側部Ｂのそれぞれにおいて、三つ折り状態に折り曲げられて、吸収性本体５の肌当接面側の面上に固定されていたが、これに代えて、二つ折り、又は折り曲げずに内側に伏倒させた状態で固定されていても良い。
【００５５】
上記実施形態のおむつは、幼児用のパンツ型おむつであったが、本発明の使い捨ておむつは、成人用のパンツ型おむつ、幼児又は成人用のいわゆる展開型の使い捨ておむつであっても良い。但し、パンツ型のおむつに特に適している。
【図面の簡単な説明】
【００５６】
【図１】図１は、本発明の使い捨ておむつの一実施形態としてのパンツ型おむつを示す斜視図である。
【図２】図２は、図１に示すおむつをサイドシール部で切り離して展開し、各部の弾性部材を伸張させて平面状に拡げた状態を一部破断して示す平面図である。
【図３】図３は、図２のＩ−Ｉ線断面を模式的に示す断面図である。
【図４】図４は、おむつ使用状態における図２のII−II線断面を模式的に示す断面図である。
【図５】図５は、おむつ使用状態における図２のIII−III線断面を模式的に示す断面図である。
【図６】図６は、図２のIV−IV線断面を模式的に示す断面図である。
【図７】図７は、本発明の他の実施形態における吸収性コアを示す平面図である。
【図８】図８（ａ）は、おむつ展開且つ伸張状態における吸収性コアの状態を示す斜視図であり、図８（ｂ）は、おむつ使用状態における同吸収性コアの状態を示す斜視図である。
【符号の説明】
【００５７】
１  使い捨ておむつ
２  表面シート
３  裏面シート
４  吸収性コア
４１  下部吸収層
４２  上部吸収層
４４  切欠部
４５  第２切欠部
４７  中央切欠部
５  吸収性本体
６  防漏カフ
６０  防漏カフ形成用シート
１０  外装体
Ａ  腹側部
Ｂ  背側部
Ｃ  股下部
【図１】
2005312557.tif 000003
【図２】
2005312557.tif 000004
【図３】
2005312557.tif 000005
【図４】
2005312557.tif 000006
【図５】
2005312557.tif 000007
【図６】
2005312557.tif 000008
【図７】
2005312557.tif 000009
【図８】
2005312557.tif 000010